(57)【要約】【課題】  吸着対象のウェーハの変形やワレを防止し、該ウェーハの主表面にキズを発生させたり、パーティクルを付着させたりせずに良好な主表面状態を保つことができるベルヌーイチャックを提供することを目的とする。また、シリコンエピタキシャルウェーハのエピタキシャル成長装置からの取り出し作業の効率を高めることができるベルヌーイチャックを提供する。【解決手段】  ウェーハを支持する円盤状冶具４を有するとともに、円盤状冶具４は、ウェーハを支持するウェーハ吸着面の幾何学的中心位置とは異なる位置に、ベルヌーイ効果によってウェーハを吸着するためのガスを流出する複数のガス流出口５が該中心位置に対する周方向に分散配置され、かつそのウェーハの半径をＲとしたとき、これら複数のガス流出口５は全て、ウェーハ吸着面の幾何学的中心位置から半径２ｍｍ以上、２Ｒ／３以下のリング状領域にあることを特徴とする。【選択図】  図１
2005340521.tif 000002
【特許請求の範囲】
【請求項１】
ウェーハ搬送に用いるベルヌーイチャックであって、ウェーハ吸着面の幾何学的中心位置とは異なる位置に、ウェーハを吸着するためのガスを流出する複数のガス流出口が前記幾何学的中心位置に対する周方向に分散配置され、かつ前記ウェーハの半径をＲとしたとき、これら複数のガス流出口は全て、前記ウェーハ吸着面の前記幾何学的中心位置から半径２ｍｍ以上、２Ｒ／３以下のリング状領域にあることを特徴とするベルヌーイチャック。
【請求項２】
前記ウェーハ吸着面に形成された前記複数のガス流出口の平均位置が、前記ウェーハ吸着面の前記幾何学的中心位置と一致することを特徴とする請求項１に記載のベルヌーイチャック。
【請求項３】
前記複数のガス流出口は、前記ウェーハ吸着面の前記幾何学的中心位置に対して円周方向に等間隔で配置されていることを特徴とする請求項１ないし２のいずれか１項に記載のベルヌーイチャック。
【請求項４】
前記複数のガス流出口は、前記ウェーハ吸着面に対し傾斜して設けられることを特徴とする請求項１ないし３のいずれか１項に記載のベルヌーイチャック。
【請求項５】
前記複数のガス流出口は、前記ウェーハ吸着面に対し外側方向へ放射状に形成されることを特徴とする請求項１ないし４のいずれか１項に記載のベルヌーイチャック。
【請求項６】
前記複数のガス流出口は、３個以上８個以下であることを特徴とする請求項１ないし５のいずれか１項に記載のベルヌーイチャック。
【請求項７】
前記複数のガス流出口は、その直径もしくは短径が２ｍｍ以下であることを特徴とする請求項１ないし６のいずれか１項に記載のベルヌーイチャック。
【発明の詳細な説明】
【技術分野】
【０００１】
本発明は、シリコンエピタキシャルウェーハをはじめとするシリコン半導体ウェーハなどの装置への出し入れや搬送に使用されるベルヌーイチャックの構造に関するものである。
【背景技術】
【０００２】
シリコンエピタキシャルウェーハ（以下、ウェーハと呼ぶことがある）をエピタキシャル製造装置から取り出す場合、ウェーハの搬送装置として様々な装置が提案されてきた。その中でも、ベルヌーイ法を利用したウェーハチャック装置、いわゆるベルヌーイチャックは、ウェーハを非接触でチャック、搬送できる利点があり、高温のウェーハ搬送やレジストコートウェーハ等の搬送にも用いられている。
【０００３】
図２は従来のベルヌーイチャックの構造図であり、図２の（ａ）は従来のベルヌーイチャックのウェーハ吸着面側からみた平面図、図２の（ｂ）はガス配管側からみた平面図、図２の（ｃ）はそのＡ−Ａ断面図である。ウェーハをチャックする際には、これらの図が示すように、まず窒素ガスをベルヌーイチャックＣの配管１、３内に導入する。その際、該配管１、３間にあるフィルター２でパーティクル等のコンタミネーションを除去する。配管３の先端は、搬送されるウェーハより大口径で石英材料等からなる円板状治具４に接続されており、窒素ガスは円板状治具４の中心に設けられたガス流出口５から吹き出される。また、円板状治具４には、ウェーハがベルヌーイチャックＣから飛び出すのを防止するピン６が取り付けられている。このようなベルヌーイチャックＣをウェーハに近づけると、ウェーハは円板状治具４と非接触状態で、かつ、数十μｍ程度の間隔を経て、円板状治具４のピン６より内側の領域にチャックされる。ウェーハのチャックを解除したい場合には、ベルヌーイチャックを所望の位置に移動させ、窒素ガスの供給を止めれば解除することができる。
【０００４】
上記のようなベルヌーイチャックは一般的に用いられているが、上記ベルヌーイチャック以外の形式のベルヌーイチャックも考案されている（例えば、特許文献１〜３）。特許文献１におけるベルヌーイチャックは、該ベルヌーイチャックにガスを導入するガス配管と、コンタミネーションを除去するフィルターは図２と同じであるが、該ガス配管に接続されるガス経路を形成する上部円盤とガス経路に連通されるガス流出口を形成する下部円盤とからなる一対の円盤と、下部円盤に対向配置され、ガス流出口と対応可能な開口部が形成されるとともに制限された角度回転可能な回転プレートとを備えている点が異なっている。このベルヌーイチャックでは、ウェーハのチャック時およびアンチャック時にガスを一定流量流しながら、ガス流出口と開口部のオーバーラップ面積を変化させ、ウェーハをチャックするためのガス流量を変化させることにより、ガス流量の急激な変動を抑えコンタミネーションの発生を防ぎながらウェーハのチャック及びアンチャックを行っている。
【０００５】
また、特許文献２、もしくは３のようなベルヌーイチャックも考案されている。これらのベルヌーイチャックはウェーハを回転させながら処理を行うウェーハ処理装置に備え付けられるものであり、ガスを噴出するスリット穴がウェーハ周縁部に対向する位置に設けられ、該スリット穴からガスを流出することにより、ウェーハの周縁部に均一にベルヌーイ効果を生じさせるようになっている。
【０００６】
しかしながら、図２に示すような従来のベルヌーイチャックには、以下のような課題があった。例えば、図３のような縦型エピタキシャル成長装置３１によってウェーハの主表面上にシリコンエピタキシャル層を成長させた直後のシリコンエピタキシャルウェーハ３２をベルヌーイチャックＣで吸着する場合において、エピタキシャル層が成長された主表面を上面とすると、シリコンエピタキシャルウェーハ３２は下に凸の形に反る。このとき、窒素ガスを吹き出すガス流出口５とウェーハ主表面中心部の距離は反りによって大きくなるため、シリコンエピタキシャルウェーハ３２の主表面近傍にウェーハの中心から外周へ向かう窒素ガスの流れをつくり、シリコンエピタキシャルウェーハ３２の主表面側と主裏面側の間に窒素ガスの流速の差を形成することによってシリコンエピタキシャルウェーハ３２に浮力を与えられるだけの窒素ガスを大量にシリコンエピタキシャルウェーハ３２の中心部へ吹き付ける必要がある。そのためには、窒素ガスの流出圧力を大きくする必要がある。
【０００７】
窒素ガスの圧力が小さいと、シリコンエピタキシャルウェーハ３２の主表面近傍に十分な窒素ガスの流れが形成されず、浮力を与えることができないので、ベルヌーイチャックＣにシリコンエピタキシャルウェーハ３２を吸着させることができない。そのため、全てのシリコンエピタキシャルウェーハ３２を吸着できるだけの十分な窒素ガスをガス流出口５から吹き出させる必要があるが、高い圧力の窒素ガスをウェーハ中心部へ大量に吹き付けると、中心部のみが急速に冷やされてしまうため、シリコンエピタキシャルウェーハ３２は大きく変形してしまうことがある。このとき、シリコンエピタキシャルウェーハ３２のウェーハ厚さが薄いと、窒素ガスを吹き付けた瞬間にウェーハ自体の変形によって割れてしまうことがある。また、たとえ割れなくてもウェーハ自体の大きな変形のため、櫛歯付きウェーハ収納用カセットへウェーハを挿入する際、ウェーハが正規の櫛歯位置からずれて収納されることがある。さらに、高い圧力の窒素ガスをウェーハ中心部へ吹き付けると、ウェーハとベルヌーイチャックとの間を通って外部へ流れ出る窒素ガスが、その高い圧力のため、エピタキシャル成長装置内の冶具やサセプター３３上のパーティクルを巻き上げてしまい、ウェーハ表面にパーティクルを付着させてしまうことがある。
【０００８】
また、エピタキシャル成長直後よりも冷却されたシリコンエピタキシャルウェーハを吸着する場合、該シリコンエピタキシャルウェーハの反りはエピタキシャル成長直後よりも小さくなっているため、ベルヌーイチャックＣに吸着された際には、エピタキシャル成長された主表面を上面としたとき、シリコンエピタキシャルウェーハは上に凸に反る形となり、シリコンエピタキシャルウェーハの中心部が円板状治具４に接触して、その接触部分にキズが発生することがある。さらに、このキズと、高い圧力の窒素ガスのウェーハ中心部への大量吹き付けで起きるウェーハ中心部の急冷によるウェーハの変形とによって、甚だしい場合にはシリコンエピタキシャルウェーハが割れる場合もある。
【０００９】
ウェーハの主表面上に厚くシリコンエピタキシャル層が形成されると、該エピタキシャル層が形成された主表面を上面とした場合、シリコンエピタキシャルウェーハ３２はシリコンエピタキシャル層が厚い分だけ、より大きく下に凸の形に反る。このため、該ウェーハ３２の裏面と該ウェーハを載置しているサセプター３３のエッジ部が全体的に接触するかたちとなり、ベルヌーイチャックＣで窒素ガスをシリコンエピタキシャルウェーハ３２に吹き付けても、ウェーハ３２の裏面とサセプター３３の接触部で窒素ガスの流れが遮断され、ウェーハ３２に浮力が生じないことがある。
【００１０】
そのため、シリコンエピタキシャルウェーハ３２の裏面とサセプター３３の間に窒素ガスを吹き込んで該ウェーハ３２の位置をずらし、シリコンエピタキシャルウェーハ３２の裏面とサセプター３３との間に隙間を設けて窒素ガスをそのウェーハ３２の裏面に回り込みやすくした後、ベルヌーイチャックＣで窒素ガスをウェーハ３２に吹き付けて吸着させる手法を取っていたが、この方法を用いるとサセプター３３に付着していたパーティクルが舞い上がったり、エピタキシャル成長装置３１内に付着していたエピタキシャル副生成物が剥離し落下することがあり、シリコンエピタキシャルウェーハ３２のエピタキシャル層の主表面上にこれらが付着してしまうことがある。さらに、このような厚いエピタキシャル層を成長させたり、サセプター３３にピンホール等がある場合、シリコンエピタキシャルウェーハ３２の裏面とサセプター３３の接触部分の貼り付きが大きくなってしまうことがあり、そのような状態で窒素ガスを吹き込むとシリコンエピタキシャルウェーハ３２が割れてしまうことがある。
【００１１】
そして、このような窒素ガスの吹き込み作業を行いながらシリコンエピタキシャルウェーハ３２をベルヌーイチャックＣで吸着し、エピタキシャル成長装置３１から取り出す場合、取り出しに時間がかかってしまい、エピタキシャル成長装置３１内の石英製ベルジャー３４を長時間大気に曝すことになる。すると、ベルジャー３４に付着している副生成物に空気中の水分が吸着される。この吸着された水分はエピタキシャル成長中に副生成物から脱離し、ベルジャー３４内のウェーハ３２の主表面に付着してクモリを発生させる。このクモリがひどくなると、ベルジャー３４の交換を行う必要が生じるが、交換を行う場合には該ベルジャー３４を長時間大気にさらすこととなり、エピタキシャル成長装置の稼働率を悪くし、ひいてはシリコンエピタキシャルウェーハの製造効率を悪くする。また、交換されて取り外されたベルジャーは薬液洗浄されるため、石英がフッ酸でエッチングされ、劣化が早まることがある。
【００１２】
また、図４のようなシリンダータイプのエピタキシャル成長装置４１でエピタキシャル層が成長されたシリコンエピタキシャルウェーハ４２を図２のベルヌーイチャックＣで吸着させて取り出す場合、該ウェーハ４２は略垂直に立てかけられた状態でサセプター４３に保持されており、ベルヌーイチャックＣをシリコンエピタキシャルウェーハ４２に対向させてガス流出口５から窒素ガスを吹き付けると、重力の作用で鉛直上向きに向かう窒素ガス流と鉛直下向きに向かう窒素ガス流が不均一になり、それによってシリコンエピタキシャルウェーハ４２も不均一に傾いてベルヌーイチャックＣへ吸着される。そのため、ウェーハ４２の外周部の一部とベルヌーイチャックＣの円板状治具４が接触し、円板状治具４に付着していたパーティクルがウェーハ４２のシリコンエピタキシャル層主表面に付着して該主表面を汚してしまうことがある。さらに、ウェーハの直径が大きくなると、ウェーハの重量も大きくなるため、ベルヌーイチャックＣでの吸着がより困難になる。
【００１３】
なお、特許文献１に記載されたベルヌーイチャックは、回転プレートの回転によりガス流出口の開口面積を自由に変更することができるが、その回転プレートの回転による部材の摺動によりパーティクルが発生し、それが吸着対象のウェーハ主表面に付着する可能性がある。
【００１４】
【特許文献１】特開平８−２０３９８４号公報
【特許文献２】特開２００３−６００１５号公報
【特許文献３】特開２００３−２０３８９１号公報
【発明の開示】
【発明が解決しようとする課題】
【００１５】
本発明は上記課題を解決するためになされたものであり、吸着対象のウェーハの変形やワレを防止し、該ウェーハの主表面にキズを発生させたり、パーティクルを付着させたりせずに良好な主表面状態を保つことができるベルヌーイチャックを提供することを目的とする。また、シリコンエピタキシャルウェーハのエピタキシャル成長装置からの取り出し作業の効率を高めることができるベルヌーイチャックを提供することを目的とする。
【課題を解決するための手段】
【００１６】
上記課題を解決するために、本発明は、ウェーハ搬送に用いるベルヌーイチャックであって、ウェーハ吸着面の幾何学的中心位置とは異なる位置に、ウェーハを吸着するためのガスを流出する複数のガス流出口が前記幾何学的中心位置に対する周方向に分散配置され、かつ前記ウェーハの半径をＲとしたとき、これら複数のガス流出口は全て、前記ウェーハ吸着面の前記幾何学的中心位置から半径２ｍｍ以上、２Ｒ／３以下のリング状領域にあることを特徴とする。
【００１７】
このようなベルヌーイチャックであれば、ウェーハ吸着面の幾何学的中心位置から半径２ｍｍ以上２Ｒ／３以下のリング状領域に複数のガス流出口が形成されているため、前記ガス流出口からウェーハ外周端部までの距離を長くとることができる。これにより、ガス流出口から流出するガスは、半径方向外側へ向かって広がる過程でガスの線速が遅くなり、吸着対象のウェーハの主裏面に対し回り込みやすいガス流を形成しやすくなる。そのため、ガス流出口が複数形成されていることによるガス流の均一化との相乗効果により、流出させるガスの量及び圧力を減らすことができ、ウェーハの変形やワレ、ウェーハの主表面に発生するキズを防止することができる。
【００１８】
この場合、前記ウェーハ吸着面に形成された前記複数のガス流出口の平均位置が前記ウェーハ吸着面の前記幾何学的中心位置と一致することが好ましい。ガス流出口を上記のように配置すれば、吸着対象のウェーハの中心近傍から外周部へ向けて均一なガス流をより形成しやすくなるので、より良好な状態でウェーハを吸着することができる。
【００１９】
また、前記複数のガス流出口は、前記ウェーハ吸着面の前記幾何学的中心位置に対して円周方向に等間隔で配置されていることがなお好ましい。このように、ウェーハ吸着面の幾何学的中心位置に対して円周方向に等間隔で配置されるよう複数のガス流出口を形成すれば、さらに均一なガス流を形成することができ、より良好な状態でウェーハを吸着することができる。
【００２０】
さらに、前記複数のガス流出口は、前記ウェーハ吸着面に対し傾斜して設けられることが好ましい。ガス流出口が、ウェーハ吸着面に対し傾斜することなく、吸着対象であるウェーハに対して垂直に形成されている場合は、流出するガスがウェーハに対して垂直に衝突し、その際にそのガスの流れが乱れる可能性がある。この場合、ウェーハの外周方向に向かうガスの流れは均一化されず、従って、ウェーハを安定して吸着することが困難となる可能性がある。ところが、上記のように、ガス流出口がウェーハ吸着面に対し傾斜して形成されることで、ガスがウェーハに対して衝突する際に生じるガスの乱れを抑制することができ、従って、ウェーハを安定して吸着することができる。
【００２１】
そして、前記複数のガス流出口は、前記ウェーハ吸着面に対し外側方向へ放射状に形成されることが好ましい。このようなガス流出口を形成すれば、ガスが自然とウェーハの中心近傍から外周部へ向けて流出するので、ウェーハの外周方向へ向かう均一なガス流をより形成しやすくなり、さらに良好な状態でウェーハを吸着することができる。なお、これらのガス流出口は、ウェーハ吸着面に対して外側方向へ向けて傾斜していればよいので、その傾斜角度に関しては特に限定されず、任意に決定してよい。
【００２２】
このとき、ガス流出口は３〜８個であることが好ましい。ガス流出口が３個以上であれば、ウェーハを好適に吸着できる。また、ガス流出口の数を多く形成する程、コストがかかるので、ガス流出口の数が８個以下であれば、コストの安いベルヌーイチャックを作製できる。
【００２３】
ガス流出口の大きさは、直径または短径が２ｍｍ以下であることが好ましい。直径または短径がこれより大きくなると、ガスの圧力を上げてもガスの線速が大きくならず、ウェーハの吸着がしづらくなる。
【発明の効果】
【００２４】
本発明のベルヌーイチャックによれば、ウェーハを吸着するためのガス圧力やガス流量を小さくでき、ウェーハの主表面に均一なガス流を形成することができるので、ウェーハを均一に吸着でき、ウェーハのゆがみやワレ、ウェーハとベルヌーイチャック部材との接触、およびウェーハ主表面中心部に発生するキズを防止することができる。また、ウェーハ裏面とサセプターとの間にガスを吹き込まなくてもウェーハを本発明のベルヌーイチャックで吸着できるようになるため、サセプター上のパーティクルを巻き上げたり、エピタキシャル成長装置部材に付着したエピタキシャル副生成物を剥離、落下させることがなくなり、ウェーハ主表面をパーティクルの少ない良好な状態に保つことが可能となる。さらに、エピタキシャル成長装置からのシリコンエピタキシャルウェーハの取り出し作業を短縮できるので、エピタキシャル層表面に生ずるクモリを防止できるとともに、エピタキシャル成長装置に載置されているベルジャーをはじめとする石英部品の交換頻度を抑えることも可能となるため、交換時に行われるエッチングによるこれらの石英部品の劣化を防ぐことができる。
【発明を実施するための最良の形態】
【００２５】
以下、本発明のベルヌーイチャックを発明する過程で行った各種実験およびその実験結果と、その結果として得られた本発明のベルヌーイチャックについて、図面を参照してさらに詳細に説明する。なお、本発明が、下記に示すベルヌーイチャックに限定されないことは言うまでもない。
【００２６】
（実験１）
図５のような直径約１５０ｍｍのシリコンエピタキシャルウェーハ（いわゆる６インチシリコンエピタキシャルウェーハ）吸着用のベルヌーイチャックＣを準備した。このベルヌーイチャックＣでは、ベルヌーイチャックＣの円板状治具４の中心にガス流出口７を、その中心から半径５０ｍｍの円周上に４つのガス流出口８を形成した。このとき、形成されたガス流出口７及び８は、ウェーハ吸着面に対して垂直に形成されている。そして、このベルヌーイチャックＣを用いて、窒素ガスの圧力と流量を減らすことができるか検討するために、直径約１５０ｍｍのシリコンエピタキシャルウェーハ（６インチウェーハ）の吸着試験を行った。冷却された常温のシリコンエピタキシャルウェーハを吸着したところ、該ウェーハの中心部にベルヌーイチャックＣとの接触による従来のような接触キズが発生することはなくなった。しかしながら、エピタキシャル成長直後のウェーハを吸着する場合には、従来の中心１つ穴のベルヌーイチャックＣ（図２参照）と同じくシリコンエピタキシャルウェーハの変形が発生し、櫛歯付きウェーハ収納用カセットへ該ウェーハを挿入する際、前記ウェーハが正規の櫛歯位置からずれて収納されることがあった。なお、図５は、図５の（ａ）が、上記ベルヌーイチャックをウェーハ吸着面側から見た平面図を、図５の（ｂ）が、ガス配管側から見た平面図を、図５の（ｃ）が、そのＡ−Ａ断面図をそれぞれ示しているとともに、図５のうち、図２と同様の部品については同じ符号を付けて説明している。
【００２７】
（実験２）
上記実験１の結果を受けて、ベルヌーイチャックＣの円板状治具４のガス流出口７を塞ぎ、前記中心から半径５０ｍｍの円周上に４つのガス流出口８のみから窒素ガスを流出させることにした。その結果、エピタキシャル成長直後の高温のシリコンエピタキシャルウェーハであっても、大きな変形を生じさせずに吸着できることがわかった。そのため、ウェーハのワレが防止できるとともに、上記のようなウェーハ収納時のトラブルが発生しなくなった。
【００２８】
さらに、ベルヌーイチャックＣのウェーハ吸着面の中心穴を塞いだ状態で、上記特許文献１乃至３のように、ウェーハ吸着面の外縁部付近、すなわち、ウェーハの半径をＲとしたとき、ベルヌーイチャックＣにおけるウェーハ吸着面の幾何学的中心位置から２Ｒ／３を越えた位置にガス流出口があると、該ガス流出口からウェーハ外周端部までわずかな距離しかないため、ウェーハ外周端部における窒素ガス流の線速が速くて、ガスがウェーハ裏面へ回り込まず、ウェーハの吸着ができない場合のあることがわかった。そして、ウェーハ吸着面とウェーハの間が水平でなく、わずかに傾いている場合には、たとえウェーハが吸着できても、ウェーハがウェーハ吸着面の正規の吸着位置からずれて吸着されてしまう可能性があった。また、ウェーハの吸着以外にも、実験２で使用した図５に示されるようなベルヌーイチャックＣは、ガスバッファ部９を設けたため重くなり、ハンドリングが難しくなるといった問題も生じた。さらに、ガス流出口７または８にゴミ等が詰まったり、ガスバッファ部９に高い圧力のガスが供給されたりすると、ガスバッファ部９内の圧力が過度に上昇し、該ガスバッファ部９が破壊されてしまうといった不具合も生じた。
【００２９】
（実験３）
ガス流出口の平均位置がベルヌーイチャックのウェーハ吸着面の幾何学的中心以外にあるときの、ウェーハ吸着状況を調べる為に、図６に示すようなベルヌーイチャックＣによるウェーハ吸着試験を行った。このベルヌーイチャックＣの中には特許文献１のベルヌーイチャックと同様に、ガス流通経路を形成した石英プレートとガス流出口を形成した石英プレートを貼り合わせて製造されているものもある。また、ガス流出口５の平均位置はウェーハ吸着面の幾何学的中心からずれていて、ベルヌーイチャックＣの一部に偏って形成されている。このようなベルヌーイチャックＣでウェーハを吸着する場合、ウェーハ外周部へ向かうガス流が不均一になるため、ウェーハに不均一な浮力が与えられ、ウェーハがウェーハ吸着面の幾何学的中心からずれて吸着されたり、ウェーハと円盤状冶具４とが接触してしまうことがあった。
【００３０】
本発明者は、上記のような実験１〜３を行い、ベルヌーイチャックでウェーハを吸着する際に発生するウェーハの変形やワレの原因が、ベルヌーイチャックのウェーハ吸着面の幾何学的中心に形成されるガス流出口から大量、高圧の窒素ガスをウェーハ主表面に対し吹き付けることにあることを突き止め、ガス流出口の配置や位置、角度、形状を鋭意検討した。その結果、ウェーハ主表面近傍に形成されるガス流がウェーハ全面においてウェーハ中心近傍から外周部へ向かって均一に形成されるとともに、ウェーハ主裏面に該ガス流が回りこむような線速になるようにガス流出口の配置や位置、角度、形状を決定すれば、ガス流出口から流出される窒素ガスの圧力、流量を小さくでき、ウェーハのゆがみやワレ、及びウェーハ中心部に発生するキズが防げることに想到し、本発明を完成させた。
【００３１】
すなわち、上記実験から、図１に示すようにベルヌーイチャックＣのウェーハ吸着面４の幾何学的中心位置にガス流出口がなく、複数のガス流出口５が該中心位置に対する周方向に分散配置され、なおかつ、ウェーハの半径をＲとしたとき、複数のガス流出口５が全て前記中心位置から半径２ｍｍ以上、２Ｒ／３以下のリング状領域にある本発明のベルヌーイチャックであれば、ガス流出口５からウェーハ外周端部までの距離が十分あるので、前記ガス流出口５から流出されたガスの線速はウェーハ外周端部で十分遅くなり、ウェーハの裏面側に回りこみやすくなる。これにより本発明のベルヌーイチャックＣはウェーハに浮力を与えやすくなるため、厚膜のシリコンエピタキシャルウェーハや直径約１５０ｍｍ以上（６インチ以上）のシリコンエピタキシャルウェーハを確実に吸着できるうえ、ウェーハの変形やワレも非常に少なくすることができる。また、温度の下がったシリコンエピタキシャルウェーハを吸着する場合においても、ウェーハの中心部にベルヌーイチャックとの接触キズを発生させることがない。なお、図１は、図１の（ａ）が、上記ベルヌーイチャックをウェーハ吸着面側から見た平面図を、図１の（ｂ）が、ガス配管側から見た平面図を、図１の（ｃ）が、そのＡ−Ａ断面図をそれぞれ示しているとともに、図１のうち、図２と同様の部品については同じ符号を付けて説明している。
【００３２】
このとき、複数のガス流出口５の位置は、前記中心位置から半径２ｍｍ以上０．５Ｒ以下のリング状領域にあることが好ましく、さらには、半径２ｍｍ以上０．２Ｒ以下のリング状領域にあることが好ましい。このような領域にガス流出口５があれば、ウェーハの中心から外周にわたって、より広い範囲に均一なガス流を形成できるので、図７に示すように、ウェーハに浮力を与えてベルヌーイチャックに吸着させる吸着圧力と、ウェーハをベルヌーイチャックに保持させておく最低保持圧力とを両方とも低くでき、それに応じてガス流出量も小さくすることができる。ここで、最低保持圧力とは、ベルヌーイチャックに吸着させておいたウェーハがベルヌーイチャックから落下する寸前の圧力のことである。
【００３３】
図７に示されるとおり、ウェーハの半径をＲとすると、ガス流出口位置がベルヌーイチャックのウェーハ吸着面の幾何学的中心位置から２Ｒ／３より大きいリング状領域にあれば、最低保持圧力（ウェーハ吸着後、吸着を維持するために必要なガスの最低圧力）は低く保てるが、吸着圧力（ウェーハを吸着するために必要なガスの最低圧力）は大きくせざるを得ず、ガス流出量もそれに応じて大きくする必要がある。そして、ガス流出量が大きくなれば、ウェーハが変形する可能性も高くなる。しかし、前記中心位置から半径２ｍｍ以上２／３Ｒ以下、より好ましくは半径２ｍｍ以上０．５Ｒ以下、さらに好ましくは半径２ｍｍ以上０．２Ｒ以下のリング状領域にガス流出口５が形成されていれば、保持圧力だけでなく、吸着圧力も低く保てるので、ガス流出量も小さくできる。そして、大量のガスがウェーハ主表面に吹き付けられることがなくなるので、ウェーハの変形する可能性はほとんどなくなる。
【００３４】
このとき、複数のガス流出口５の平均位置が前記ウェーハ吸着面の幾何学的中心位置と一致するようにガス流出口５を形成すれば、ウェーハ中心近傍からウェーハ外周部へ向かう放射状のガス流がウェーハ主表面上に形成されるので、均等な浮力をウェーハに与えることができ、ウェーハがずれて吸着されることを防ぐことができる。また、前記ガス流出口５が前記中心位置に対して円周方向に等間隔で配置されていれば、より均一な放射状のガス流が形成できるので、より好適にウェーハを吸着することができる。
【００３５】
そして、前記複数のガス流出口５が、前記ベルヌーイチャックＣのウェーハ吸着面に対し傾斜して設けられれば、ウェーハ主表面にガス流をより形成しやすくなるので、ウェーハをより吸着しやすくなる。特に、ガス流出口５が吸着面に対し外周側方向へ放射状に形成されれば、さらにウェーハ主表面に均一なガス流を形成しやすくなるので、ウェーハをさらに吸着しやすくなる。なお、このようにガス流出口５が傾斜して形成される場合には、ガス流出口５が形成される冶具（図１の場合の円盤状冶具４に相当する）をウェーハ吸着面の反対側から見た際に、その主表面に現れるガス流出口（図１の（Ａ）の符号５´）が、ウェーハ吸着面の幾何学的中心位置から半径２ｍｍ以上、２Ｒ／３以下のリング状領域、特には前記中心位置から半径２ｍｍ以上０．５Ｒ以下のリング状領域にあることが好ましく、さらには、半径２ｍｍ以上０．２Ｒ以下のリング状領域にあることがより好ましい。なお、この場合、ガス流出口５が形成される冶具をウェーハ吸着面から見た場合のガス流出口５の位置は、ガス流出口５がウェーハ吸着面の内側方向に傾斜して形成されない限り、ウェーハ吸着面における幾何学的中心位置から半径２ｍｍ以上、２Ｒ／３以下のリング状領域にあることは言うまでもない。
【００３６】
このとき、ガス流出口５が３個以上、より好ましくは４個以上であれば、ウェーハがずれずにベルヌーイチャックのウェーハ吸着面へ吸着される。一方、ガス流出口５が８個を越えると、ベルヌーイチャックの流出口付近の強度が低下し、加工が困難になるとともに、個数の増加に伴ってベルヌーイチャック製造のコストが上昇するので、ガス流出口５は３〜８個が好ましい。
【００３７】
そして、ウェーハ吸着面に対しガス流出口５が傾斜していない場合は、ガス流出口の直径が２ｍｍ以下であることが好ましい。また、ウェーハ吸着面に対しガス流出口５が傾斜している場合は、ガス流出口５が略楕円形になっているので、その短径は２ｍｍ以下であることが好ましい。ガス流出口の直径または短径が２ｍｍより大きくなると、ガスの流量は大きくなるが、ガスの線速は大きくならないため、ガス流量が多い分だけウェーハ表面に形成されるガス流が不均一になってウェーハにはたらく浮力が安定せず、吸着しづらいベルヌーイチャックになってしまう。
【００３８】
上記のような本発明のベルヌーイチャックでエピタキシャル成長装置内のサセプター上にあるシリコンエピタキシャルウェーハを吸着する場合、例えば直径約１５０ｍｍウェーハ（６インチウェーハ）用のベルヌーイチャックであっても直径約１２５ｍｍウェーハ（５インチウェーハ）を吸着することができる。さらに、図４のシリンダータイプのエピタキシャル成長装置からウェーハを吸着、取り出しする場合には、直径約１５０ｍｍウェーハ（６インチウェーハ）用のベルヌーイチャックで直径約１００ｍｍウェーハ（４インチウェーハ）を吸着することも可能である。したがって、図２のような従来のベルヌーイチャックでは、吸着対象のウェーハの大きさが異なれば、ベルヌーイチャックの円板状治具４を交換する必要があるが、本発明のベルヌーイチャックでは、そのような交換頻度が少なくなり、より作業効率を向上させることができる。また、前記特許文献１乃至３に記載のベルヌーイチャックでは、ガス流出口が吸着対象のウェーハ外縁部付近にあるため、本発明のベルヌーイチャックのように、本来吸着すべきウェーハより小さい大きさのウェーハを吸着することは原理的に不可能である。
【００３９】
また、本発明のベルヌーイチャックを用いれば、バランスのよい浮力が吸着対象のウェーハに与えられるので、厚膜のエピタキシャル層を成長させたシリコンエピタキシャルウェーハや直径約１５０ｍｍ以上（６インチ以上）の大口径エピタキシャルウェーハであっても速やかに吸着可能である。したがって、これらのウェーハを吸着する際、ウェーハとサセプターの間に窒素ガスを吹き込む必要がないので、ウェーハをエピタキシャル成長装置から取り出す時間が短縮でき、装置の稼動効率を向上させることができる。そして、サセプターや成長装置内に設置される治具に付着したパーティクルを舞い上げることもないため、エピタキシャルウェーハの主表面を舞い上がったパーティクルで汚すこともなくなる。さらに、ウェーハ取り出し時間の短縮により、エピタキシャル層表面に生ずるクモリを防止できるとともに、エピタキシャル成長装置内のベルジャー等の石英部品の交換頻度を減らすことができるため、石英部品交換時のエッチングによる劣化を防ぐことが可能となる。
【実施例】
【００４０】
以下、本発明の具体的な実施例とその使用状態の詳細について説明を行う。まず、本発明の直径約１５０ｍｍウェーハ（６インチウェーハ）用ベルヌーイチャックを準備した。前記ベルヌーイチャックのウェーハ吸着盤（円板状治具：厚さ３ｍｍ）には、短直径（短径）１．８ｍｍ、長直径（長径）３．６ｍｍの略楕円形をしたガス流出口が４個設けられており、ガス配管からガス流出口へ至るガス供給路はウェーハ吸着面に対し３０°傾斜している。そして、これらのガス流出口は、ウェーハ吸着盤のウェーハ吸着面とは反対側において、ガス流出口の中心がウェーハ吸着面の幾何学的中心位置から半径５ｍｍの円周上、すなわち該ウェーハ吸着盤をウェーハ吸着面から見た場合に、ガス流出口がウェーハ吸着面の幾何学的中心位置から約１０ｍｍの円周上に表れ、９０°間隔で配置されている。この直径約１５０ｍｍウェーハ（６インチウェーハ）用ベルヌーイチャックを用いて、エピタキシャル成長直後のシリコンエピタキシャルウェーハをサセプターから５０枚取り出し、ウェーハ収納用カセットへ収納する作業を行った。その結果、ウェーハのワレは０枚、カセットの隣の櫛歯へずれて挿入されるウェーハ変形トラブルは０枚、ウェーハ１枚あたりの取り出し時間は平均約１秒、フィルター通過前の窒素ガス圧力は０．０３ＭＰａであった。
【比較例】
【００４１】
比較例として、ベルヌーイチャックのウェーハ吸着盤の中央に直径４ｍｍの円形ガス流出口を１つ設けた直径約１５０ｍｍウェーハ（６インチウェーハ）用の従来のベルヌーイチャックを準備した。この従来の直径約１５０ｍｍウェーハ（６インチウェーハ）用ベルヌーイチャックを用いて、エピタキシャル成長直後のシリコンエピタキシャルウェーハをサセプターから５０枚取り出し、ウェーハ収納用カセットへ収納する作業を行った。その結果、ウェーハのワレは２枚、カセットの隣の櫛歯へずれて挿入されるウェーハ変形トラブルは３枚、ウェーハ１枚あたりの取り出し時間は平均約６秒、フィルター通過前の窒素ガス圧力は０．２５ＭＰａであった。
【産業上の利用可能性】
【００４２】
以上、本発明のベルヌーイチャックを図面を参照して説明したが、上述したベルヌーイチャックは、ガス流出口を備えるウェーハ吸着面を有するとともに、該ウェーハ吸着面にウェーハを対向配置し、前記ガス流出口からガスを噴出することにより、ベルヌーイ効果を利用して前記ウェーハを吸着し、前記ウェーハを非接触状態に保持しつつ搬送することができるウェーハ搬送装置であり、図１に示すような構成をなすものであるが、本発明はこれに限定されるものではない。また、本発明のベルヌーイチャックは、エピタキシャル成長装置からウェーハを取り出す作業に使用されるだけでなく、レジスト塗布装置やエッチング装置等、ウェーハ搬送が必要な装置に組み込んで利用することが可能である。
【図面の簡単な説明】
【００４３】
【図１】本発明のベルヌーイチャックを示した概略図である。
【図２】従来のベルヌーイチャックを示した概略図である。
【図３】縦型エピタキシャル成長装置の概略図である。
【図４】シリンダータイプのエピタキシャル成長装置の概略図である。
【図５】実験に利用したベルヌーイチャックを示した概略図である。
【図６】従来のベルヌーイチャックの別の一例を示した概略図である。
【図７】本発明と従来のベルヌーイチャックのガス流出口位置とウェーハ吸着圧力及びウェーハ最低保持圧力との関係を示した図である。
【符号の説明】
【００４４】
Ｃ：ベルヌーイチャック
１、３：配管
２：フィルター
４：円板状治具（ウェーハ吸着面）
５、７、８：ガス流出口
５´：ウェーハ吸着面とは反対側から見たときのガス流出口（破線）
６：ピン
９：ガスバッファ部
３１：縦型エピタキシャル成長装置
３２、４２：シリコンエピタキシャルウェーハ
３３、４３：サセプター
３４、４４：石英製ベルジャー
４１：シリンダータイプのエピタキシャル成長装置
【図１】
2005340521.tif 000003
【図２】
2005340521.tif 000004
【図３】
2005340521.tif 000005
【図４】
2005340521.tif 000006
【図５】
2005340521.tif 000007
【図６】
2005340521.tif 000008
【図７】
2005340521.tif 000009